(57)【要約】【課題】本発明が解決しようとする課題は、構造的に簡単で、取り扱いやすく、数多くの車種に対応可能な汎用性を有し量産可能で経済性のある、ペダル装置を有する車輌の盗難を確実に防止する装置を提供することである。【解決手段】ペダル部分１を収納できる大きさの空間３をあけて自立する前壁４、後壁５、および、ペダル部分の下面１ａに近接した高さにおいてそれら両壁に支持され、かつ、水平方向にのみ移動可能な拘束部材１０を有し、前壁４に設けたスリット７でステム部分２を跨ぐ形で、ペダル装置の上から被せるようにして本装置を設置した後、拘束部材１０をペダル部分１の下側に水平移動させて、その位置で錠１６により固定する盗難防止装置。【選択図】        図２
2006160206.tif 000002
【特許請求の範囲】
【請求項１】
足で踏むペダル部分とそれを支えるステム部分とから成り、足で踏み込むことにより操作するペダル装置を有する車輌の盗難防止装置であって、
該ペダル部分を収納できる大きさの空間をあけて平行して自立する前壁と後壁、および、１本、または、複数本の該ペダル部分の下向きの動きを拘束する部材(以下「拘束部材」という。)とを有し、
該前壁は、該ステム部分は自由に通過できるが該ペダル部分が通過できない横幅と、該ペダル部分を足で踏み込まないときに該ステム部分に抵触しない高さとを持つ、該前壁の下端から上方へ延びるスリットを有し、
該拘束部材は、該盗難防止装置を該ペダル装置の上方から該スリットが該ステム部分を跨ぐように被せて、該ペダル部分を該前壁と該後壁との間の空間に収納した後、該ペダル部分の下側に、かつ、該ペダル部分に近接して挿入できる高さにおいて水平方向にのみ移動可能な状態で該前壁と該後壁の間に掛け渡され、該ペダル部分の下向きの動きを拘束する位置(以下「拘束位置」という。)と、該ペダル部分の下向きの動きを拘束しない位置(以下「解放位置」という。)との間を移動可能であり、
該拘束部材を該拘束位置にある状態で施錠により固定することができる盗難防止装置。
【請求項２】
２本の前記拘束部材を有し、該拘束部材のそれぞれの一つの端部は、前記前壁の前記スリットを挟んだ位置に、前記ペダル部分の横幅を大きく超えない間隔を置いて、水平方向に移動可能、および／または、回転可能な取付方法により取り付けられ、前記拘束位置と、前記解放位置との間を移動可能であり、
前記後壁は、該２本の拘束部材をその中に貫通させた状態で、該拘束部材がそれぞれの該拘束位置と該解放位置との間を移動可能とする高さと横幅を持つ水平方向に長い開口を有し、
該２本の拘束部材が該拘束位置にある状態で、該開口から突き出した該２本の拘束部材の他の端部を相互に施錠により固定することができる請求項１記載の盗難防止装置。
【発明の詳細な説明】
【技術分野】
【０００１】
本発明は、足で踏み込むことにより操作をするブレーキペダル、アクセルペダル、クラッチペダル等（以下「ペダル装置」という。)を有する車輌の盗難防止装置に関するものである。
【背景技術】
【０００２】
自動車や各種作業車輌など、ペダル装置を有する車輌の盗難防止のために、ペダル装置の動きを拘束して、窃盗者がペダル操作を行えないようにする盗難防止装置がいろいろ考えられ、提案されている。
【０００３】
例えば、特表平１１-５１３６３６号公報にて開示された盗難防止装置は、ペダル装置とフロアを隔てる空隙に合う長さに設計された固定ロッドに支持され、使用時にはペダル装置とフロアの間に挿入し固定される第２のプレートと、可動ロッドの操作により上下する可動の第１のプレートの間にペダルのアーム(上記の「ステム部分」に相当。)を挟み込んで施錠をすることにより、ペダル装置の動きを拘束している。
【０００４】
また、特開２００２-１７８８７８号公報にて開示された盗難防止装置は、ペダル装置を覆い、使用時にはペダル装置に係合する係合具を有し、かつ、フロアや壁に支持された箱形部材を用いて、ペダル装置の動きを拘束している。
【０００５】
これらの盗難防止装置はいずれも、フロアや壁とペダル装置の相対位置を厳密に固定化することによりペダル装置の動きを拘束しようとするものであるから、それらの盗難防止装置を製作するにあたっては、個々の車輌のペダル装置とフロアや壁との関係位置に対応して部材の大きさや形状を決める必要があり、数多くの種類の車輌に適用できる汎用性を持つことが困難である。従って、量産に向かず、経済的とは言い難い。
【０００６】
さらに、前者では、使用にあたって、ペダル装置とフロアを隔てる空隙に合う長さに設計された固定ロッドを有する第２のプレートをペダル装置とフロアの間に挿入し、あとは可動ロッドを操作するのみであるから設置等の取り扱いが容易であるが、装置は構造的に複雑である。
【０００７】
一方、後者では箱形部材を用いてペダル装置を覆うのであるから基本的な構造は簡単であるが、使用にあたっては、フロアや壁とペダル装置の相対位置関係に合わせて作った箱形部材を狭いところに挿入し、かつ、そこに設けられた係合具をペダル装置に係合させる作業が必要となり、取り扱い操作が難しい。
【特許文献１】特表平１１-５１３６３６号公報
【特許文献２】特開２００２-１７８８７８号公報
【発明の開示】
【発明が解決しようとする課題】
【０００８】
そこで、本発明が解決しようとする課題は、構造的に簡単で、取り扱いやすく、数多くの車種に対応可能な汎用性を有し量産可能で経済性のある、ペダル装置を有する車輌の盗難を確実に防止する装置を提供することである。
【課題を解決するための手段】
【０００９】
上記課題を解決するため、本発明は、
足で踏むペダル部分とそれを支えるステム部分とから成り、足で踏み込むことにより操作するペダル装置を有する車輌の盗難防止装置であって、
該ペダル部分を収納できる大きさの空間をあけて平行して自立する前壁と後壁、および、１本、または、複数本の該ペダル部分の下向きの動きを拘束する部材(以下「拘束部材」という。)とを有し、
該前壁は、該ステム部分は自由に通過できるが該ペダル部分が通過できない横幅と、該ペダル部分を足で踏み込まないときに該ステム部分に抵触しない高さとを持つ、該前壁の下端から上方へ延びるスリットを有し、
該拘束部材は、該盗難防止装置を該ペダル装置の上方から該スリットが該ステム部分を跨ぐように被せて、該ペダル部分を該前壁と該後壁との間の空間に収納した後、該ペダル部分の下側に、かつ、該ペダル部分に近接して挿入できる高さにおいて水平方向にのみ移動可能な状態で該前壁と該後壁の間に掛け渡され、該ペダル部分の下向きの動きを拘束する位置(以下「拘束位置」という。)と、該ペダル部分の下向きの動きを拘束しない位置(以下「解放位置」という。)との間を移動可能であり、
該拘束部材を該拘束位置にある状態で施錠により固定することができる盗難防止装置である。
【００１０】
ペダル部分を収納できる大きさの空間をあけて前壁と後壁を平行して自立させるには、平行に配置した両者の間を梁状の部材、あるいは、板状の部材でつなぐ等、前壁と後壁を一体化する任意の方法を適用すればよい。いずれにせよ、これらは、窃盗者の行なう破壊行動に対ししかるべき抵抗力を有するように、ある程度の強度を持つ素材を用いて製作される。
【００１１】
前壁には、ペダル装置のステム部分は自由に通過できるが、通常ステム部分より幅広く構成されるペダル部分が通過できない横幅を持ち、そのペダル部分を踏み込まないとき、すなわち、車輌の運転者がペダル装置の踏み込み操作をしていないフリーの状態で、ステム部分が抵触しないだけの十分な高さを持つスリットであって、前壁の下端から上方に延びるスリットが設けられる。
【００１２】
このようなスリットを設けることにより、そのスリットがステム部分を跨ぐように、上方から本装置をペダル装置に被せるようにすれば、そのペダル部分を容易に前壁と後壁との間の空間に収納することができる。
ペダル装置では、ペダル部分の横幅がステム部分の横幅より広く、また、ステム部分は、床より少し高い位置で、運転席の前方の車輌の壁から運転席側に向かって突き出した配置になっているのが一般的だからである。
【００１３】
前壁と後壁の間には、１本、または、複数本の拘束部材、すなわち、ペダル部分の下向きの動きを拘束する部材が掛け渡されており、それらは、上記の状態で前壁と後壁の間に収納されたペダル部分の下側であって、かつ、その下面に接近した高さで、水平方向にのみ移動可能な状態で保持されている。
【００１４】
それら拘束部材をペダル部分の下に移動させ、その位置で固定すれば、ペダル部分の下向きの動きを拘束することができる。
拘束部材はペダル部分の下側であって、かつ、それに近接した高さで水平方向にのみ移動可能であるから、ペダル部分の下側まで移動させて置いて、その位置で移動ができないように固定すれば、窃盗者がペダル装置を操作しようとしてペダル部分を下向きに踏み込むと、ペダル部分の下面が拘束部材に直ちに接触してしまうからである。この時の拘束部材の位置が、拘束位置である。
【００１５】
一方、拘束部材を、ペダル部分の下から外れた位置まで移動させれば、ペダル部分の下向きの動きを拘束しなくなる。この時の拘束部材の位置が、解放位置である。
全ての拘束部材を解放位置に移動させれば、ペダル装置に被せてあった本装置を上向きに移動させる障害が無くなり、容易にペダル装置から取り外すことができる。
【００１６】
拘束部材を拘束位置で固定する方法としては、拘束部材の端部と後壁の一部とを結合してもよいし、複数の拘束部材を相互に結合してもよい。具体的な結合方法としては、従来から盗難防止装置等で使用してきた適切な方法が各種適用できる。いずれにせよ、窃盗者が無理に拘束部材を拘束位置から外そうとするのに対抗できる強度をもたせ、かつ、施錠手段を設けることにより確実に盗難を防止することができる。
【００１７】
拘束部材は１本でも、その配置を考えれば十分に本発明の意図する盗難防止効果を発揮できるが、拘束部材を複数本にすることにより、より盗難防止効果を確実にし、また、形状や大きさの異なる各種のペダル装置に対する適用性を上げ、汎用性を高めることができる。
【００１８】
以上に説明したように、本発明に係る車輌の盗難防止装置は、前壁と後壁、拘束部材、およびそれを固定する手段からなる極めて簡単な構造をなしている。
【００１９】
また、本装置の車輌への取り付け操作は、拘束部材を解放位置においた状態で、ペダル装置の上から被せ、拘束部材を拘束位置に移動させて固定するだけであり、一方、取り外し作業は、拘束部材の固定を解いて解放位置に動かし、ペダル装置の上方へ本装置を持ち上げればよいので簡単であり、狭い運転席の足下の操作であっても負担にならない。また、拘束部材の移動、固定、および、固定の解除、あるいは、施錠・解錠等の操作は、すべて後壁側、すなわち、運転席側で行えるので極めてやりやすく、取り扱いやすい装置である。
【００２０】
さらに、本装置はフロアや壁とペダル装置の相対位置を厳密に固定しようとするものではない。すなわち、本装置を適用されたペダル部分の大きさに比べて本装置の前壁と後壁の間の空間が多少大きくても、また、ペダル部分の下面と拘束部材の上面との間に多少の隙間があっても、十分にその盗難防止効果を発揮できる。
【００２１】
したがって、市場にある各種車輌のペダル装置を、ペダル部分の大きさや、車輌の運転者がペダル操作をしていないフリーの状態でのペダル部分の下側の床からの高さ、および、ステム部分の幅やフリーの状態での床からの高さをベースにいくつかのグループに分け、その各グループに対して、ペダル部分を収納する前壁と後壁の間の空間の大きさ、拘束部材を掛け渡す高さ、および、前壁に設けるスリットの横幅や高さをそれぞれ設定すれば、そのグループに属する数多くの種類の車輌のペダル装置に使用できる装置とすることができる。
【００２２】
出願人が、大型のトラックから軽自動車に至る各種自動車や、トラクター等の作業車輌のブレーキペダルに関して検討したところ、３種類の形状の本装置を準備すれば、いずれの車輌のブレーキペダルにも対応できることが分かった。
【００２３】
従って、本発明に係る車輌の盗難防止装置は、一つの形状で数多くの車種に対応可能な汎用性を有しているので、量産が可能であり、高い経済性を有することができる。
【００２４】
さらに、本発明は、前述の盗難防止装置であって、２本の前記拘束部材を有し、該拘束部材のそれぞれの一つの端部は、前記前壁の前記スリットを挟んだ位置に、前記ペダル部分の横幅を大きく超えない間隔を置いて、水平方向に移動可能、および／または、回転可能な取付方法により取り付けられ、前記拘束位置と、前記解放位置との間を移動可能であり、
前記後壁は、該２本の拘束部材をその中に貫通させた状態で、該拘束部材がそれぞれの該拘束位置と該解放位置との間を移動可能とする高さと横幅を持つ水平方向に長い開口を有し、
該２本の拘束部材が該拘束位置にある状態で、該開口から突き出した該２本の拘束部材の他の端部を相互に施錠により固定することができる盗難防止装置である。
【００２５】
前述の拘束部材を２本とし、それらがペダル部分の下側に、かつ、ペダル部分に近接して挿入できる高さにおいて水平方向にのみ移動可能に前壁と後壁の間に掛け渡される状態を作るために、それら拘束部材のそれぞれの一つの端部を前壁に取り付けるに当たり、水平方向に移動可能、および／または、回転可能な取付方法により取り付ける。
【００２６】
ここで、水平方向に移動可能な取付方法とは、例えば、前壁に水平方向に溝を作り、あるいは、水平方向にガイド材を設け、拘束部材の一端がそれらにはめ込まれた状態で横にスライドするような方法を言う。水平方向に回転可能な取付方法とは、例えば、蝶番をその回転軸が垂直方向を向くように前壁に取付けて、それに拘束部材を固定するような方法を言う。
【００２７】
また、水平方向に移動可能および回転可能な取付方法とは、例えば、前壁に設けた水平方向の溝やガイド材に、蝶番の回転軸が垂直方向に向くように支持した状態で蝶番の一翼がその溝やガイド材に沿ってスライドできるように取付け、その蝶番の他の翼に拘束部材を固定するような方法を言う。
【００２８】
それら拘束部材の前壁における取付け位置は、前壁に設けられたスリットを挟んだ位置であって、ペダル部分の横幅を大きく超えない間隔を置いた位置である。水平方向に移動可能な取付方法を採った場合においては、取付け位置をスライドさせることにより間隔が大きく開いても、その最大の間隔がペダル部分の横幅を大きく超えないようにする。
【００２９】
このように、拘束部材の取付け位置を、スリットを挟んだ位置で、かつ、ペダル部分の横幅に近い間隔を設定することにより、２本の拘束部材を後壁側の端部を中央部に寄せて相互に固定しようとすると、自ずと２本の拘束部材はペダル部分の下を横切ることになり、ペダル部分の下向きの動きを拘束する拘束位置を採ることとなる。また、２本の拘束部材をそれぞれ外側に移動させれば、拘束部材をペダル装置の下側から外側に外すことができて解放位置を採ることができる。
【００３０】
一方、後壁には、水平方向に長い開口を設け、上記２本の拘束部材がその開口を貫通して、前壁に取付けられたのとは反対の端部が後壁から外に突き出している。
この後壁に設けられた開口は、拘束部材に無理な力をかけても上下方向には動かないが、水平方向には自由に動けるだけの高さを有しており、ペダル部分の大きさに応じて、ペダル部分の下側の位置、すなわち、拘束位置と、ペダル部分の下側から外れた位置、すなわち、解放位置との間を行き来する水平移動ができる横幅を有している。したがって、開口から突き出した拘束部材の端部を手で持って横に動かしてやることにより、拘束部材は拘束位置と解放位置の間を行き来させることができる。
【００３１】
使用にあたっては、２本の拘束部材をそれぞれの解放位置においた状態、すなわち、ペダル部分からそれぞれ外側に外れた状態で、本装置の前壁に設けたスリットがステム部分を跨ぐように、上方から本装置をペダル装置に被せるようにすれば、ペダル部分を容易に前壁と後壁の間の空間に収納することができる。
【００３２】
この状態で、２本の拘束部材の後壁の開口から突き出た端部を手で操作して、中央部に寄せると、それら拘束部材の前壁における取付け位置の間隔はペダル部分の横幅を大きく超えない間隔以下になっているから、自ずと２本の拘束部材はペダル部分の下側に入り拘束位置を採ることとなる。そこで施錠して固定するとペダル部分の下向きの動きは拘束されて、盗難防止の効果を発揮する。
【００３３】
後壁の開口から突き出た拘束部材の端部を中央部に寄せて相互に施錠して固定したときに、２本の拘束部材と、それらの前壁における取付け位置の間隔とが三角形を形成することにより、拘束部材は確実に拘束位置を採ることができる。
【発明の効果】
【００３４】
以上に説明した通り、本発明の盗難防止装置は、簡単な構造を有しながら確実に盗難を防止する効果を発揮する一方、装置そのものの取付け・取り外しが簡単にでき、さらに、拘束部材の移動、固定、および、固定の解除、並びに、施錠・解錠等の操作は全て運転席側で行えるので極めて取り扱いやすい。
また、一つの形状で数多くの車種に対応可能な汎用性を有しているので量産が可能であり、高い経済性を有することができる。
【００３５】
さらに、拘束部材の本数や取付方法を工夫することにより、より盗難防止効果を確実にし、また、形状の異なる各種のペダル装置に対する適用性を向上させ、汎用性を高めることができる。
【発明を実施するための最良の形態】
【００３６】
以下、本発明を実施するための最良の形態をいくつかの実施例に基づき図面を参照して詳細に説明する。なお、本発明はかかる形態に限定されず、本発明の範囲内でその具体的構造に種々の変更を加えて良いことは言うまでもない。
【００３７】
図１は本発明の盗難防止装置の実施例１の平面図、図２はそのＡ−Ａ断面図、図３はそれを前方から見た立面図、さらに、図４はそれを後方から見た立面図である。図３および図４では、理解を容易にするため、開口等を通して遠方に見えるものを一部省略して表している。
図５は、本発明の盗難防止装置の実施例２の斜視図、図６はその拘束部材の側面図と平面図である。
【実施例１】
【００３８】
仮想線で示したペダル部分１とそれを支えるステム部分２は、自動車や各種作業車輌で一般に用いられているペダル装置の本発明に関係する部分である。
本実施例の盗難防止装置は、ペダル部分１を収納できる大きさの空間３をあけて前壁４と後壁５が平行して配置されており、これらの壁を自立させるために、両者の間を梁状の部材６でつないで一体化している。
【００３９】
前壁４にはその下端から上方へ延びるスリット７が設けられており、そのスリット７はステム部分２は自由に通過できるが、ペダル部分１は通過できない横幅を持ち、ペダル部分１を踏み込まないとき、すなわち、車輌の運転者がペダル装置の踏み込み操作をしていないフリーの状態で、ステム部分２に抵触しない高さを持っている。
【００４０】
前壁４と後壁５の間には、２本の拘束部材１０が掛け渡されている。拘束部材１０の前壁４への取付は、拘束部材の一つの端部に設けられた穴１０ａに前壁４に取付けられたガイド材１１をはめ込むことにより、水平方向に移動可能で、かつ、窃盗者によって破壊されないようにしっかりと結合されている。
【００４１】
それぞれの拘束部材１０に対応する２本のガイド材１１は、スリット７を挟んだ位置に設置されているので、拘束部材１０を移動させても、常にスリット７を挟んだ位置にあることになる。また、ガイド材１１はペダル部分１の横幅を大きく超えない位置まで拘束部材１０を移動できるような長さに設定されている。
【００４２】
ガイド材１１の直径に対して、穴１０ａの径を少し大きめに作ることにより、拘束部材１０はある程度の回転運動も可能となる。すなわち、拘束部材１０は前壁４に対して水平方向に移動可能、かつ、回転可能な取付方法で取付けられていることになる。ガイド材１１を前壁４の外側に設ける場合には、図に示したように、拘束部材を通す開口１２が必要となる。
【００４３】
一方、後壁５には、水平方向に長い開口１３が設けられ、２本の拘束部材１０の他の端部１０ｂがその中を貫通している。この開口１３の高さは、拘束部材１０の高さよりやや大きくなっており、窃盗者が拘束部材１０に無理な力をかけても上下方向にはほとんど動かないが、水平方向には自由に動かせるようになっている。
【００４４】
このようにして、前壁４のガイド材１１と、後壁５の開口１３により支持された拘束部材１０は、図１の実線で示された位置、すなわち、ペダル部分１の下側の位置から、想像線で示された位置１４、すなわち、ペダル部分の下側から外れた位置まで、容易に移動させることができる。
【００４５】
拘束部材１０がガイド材１１と開口１３により支持されている高さは、図２に示されているように、ペダル部分の下側で、かつ、その下面１ａに拘束部材１０の上面が近接した高さであるから、拘束部材１０が図１の実線で示された位置にあるときには、ペダル部分１の下向きの動きを拘束することになる。すなわち、これが拘束位置である。
【００４６】
一方、図１の想像線で示された位置１４に拘束部材１０があるときには、ペダル部分１の下側から外れているので、ペダル部分の下向きの動きを拘束することはない。これが解放位置である。
拘束部材１０を本装置の中心線から遠くに移動したときに解放位置になるように、拘束部材１０の形状を勘案して、ガイド材１１の長さや、開口１３の横幅を決定する。
【００４７】
この様にすることにより、後壁の外側、すなわち、本装置の運転席側から、開口１３から突き出した拘束部材１０の端部１０ｂを手で持って、横に動かしてやれば、拘束部材１０を拘束位置から解放位置へ、また、解放位置から拘束位置へと、容易に移動させることができる。
【００４８】
そのときに、前壁４への拘束部材１０の取付け位置は、スリット７を挟んだ位置に設けられたガイド材１１の長さの範囲であるから、図１に示すように、拘束部材の端部１０ｂを中央部に寄せてやれば、拘束部材１０は必ず拘束位置を採ることになる。
【００４９】
本装置の使用にあたっては、拘束部材１０をその解放位置１４に置いた状態で、スリット７がステム部分２を跨ぐように、上方から本装置をペダル装置に被せるようにして、車輌の床９の上に設置する。そして、２本の拘束部材１０の開口１３から突き出した端部１０ｂを手で持って横に動かして中央部に寄せてやれば、自ずと拘束部材１０は拘束位置を採る。その状態で、端部１０ｂに設けられた穴１０ｃを錠１６で施錠してやればよい。
【００５０】
本装置の使用を解除するには、錠１６を解錠し、拘束部材１０の端部１０ｂを手で操作して、解放位置１４に戻し、本装置をペダル装置の上方へ抜き取ってやればよい。
【実施例２】
【００５１】
図５は、１本の拘束部材を用い、それを前壁へ水平方向に回転可能に取付けた第２の実施例を示している。理解を容易にするために、実施例１を構成した部材と形状や機能がほとんど変わらない部材に対しては、実施例１の説明で用いた付番を用いることとする。
【００５２】
前壁４ａと後壁５ａは、実施例１と同様にペダル部分を収納できる大きさの空間３を開けて平行して配置され、両者の間を梁状の部材６でつないで一体化している。前壁４ａには、ペダル装置のステム部分を跨ぐスリット７が設けられている。
【００５３】
前壁４ａには、その一隅に蝶番２１の一翼が固定され、蝶番２１の他の一翼が拘束部材２２と一体化されている。
後壁５ａには、拘束部材２２が貫通する開口１３ａが設けられ、その開口１３ａの蝶番２１と対角線をなす端にフランジ２３が設けられている。
【００５４】
蝶番２１と開口１３ａにより支持される拘束部材２２の設置高さは、実施例１と同様にペダル部分の下側で、かつ、その下面に拘束部材２２の上面が近接した位置である。
【００５５】
フランジ２３には、拘束部材２２の開口１３ａから突き出した端部に設けられた穴２２ａに対応する穴２３ａ（図６参照）が設けられており、その二つの穴を錠(図示されていない。)を用いて相互に固定することができる。
【００５６】
図６は、拘束部材２２を前壁側から見た側面図（ａ）と、平面図（ｂ）を示す。
拘束部材２２の一端２２ｂは、前壁にその一翼を固定した蝶番の他の一翼と一体となっており、他端には後壁５ａに設けたフランジ２３の穴２３ａに対応する穴２２ａが設けられている。
【００５７】
この実施例では、拘束部材２２の左右には、その上面に高さを合わせた張り出し部分２４が設けられている。
張り出し部分２４は、ペダル部分の下側に入る拘束部材の面積をより大きくすることにより、より多くの寸法・形状のペダル部分に対し拘束位置をとれるようにするものであり、その形状や寸法は、拘束部材２２を開口１３ａの中で移動させて、フランジ２３から最も遠いところに位置させてときに、仮想線で示した解放位置２５が確実にとれることも考慮して決定する。
【００５８】
本装置の使用にあたっては、拘束部材２２をその解放位置、すなわち、フランジ２３から最も遠い位置に置いた状態で、スリット７がステム部分を跨ぐように、上方から本装置をペダル装置に被せるようにして、車輌の床の上に設置する。そして、拘束部材２２の開口１３ａから突き出した端部を手で持って横に動かしてフランジ２３に近づけてやれば、自ずと拘束部材２２は拘束位置を採る。その状態で、端部に設けられた穴２２ａとフランジ２３に設けられた穴２３ａを施錠してやればよい。
【００５９】
本装置の使用を解除するには、錠を解錠し、拘束部材２２の端部を手で操作して、解放位置に戻し、本装置をペダル装置の上方へ抜き取ってやればよい。
【産業上の利用可能性】
【００６０】
自動車や各種作業車輌など、足で踏む込むことにより操作するペダル装置を有する車輌に、幅広く適用できる。
【図面の簡単な説明】
【００６１】
【図１】本発明の盗難防止装置の実施例１の平面図である。
【図２】そのＡ−Ａ断面図である。
【図３】実施例１を前方から見た立面図である。
【図４】それを後方から見た立面図である。
【図５】本発明の盗難防止装置の実施例２の斜視図である。
【図６】その拘束部材の側面図と平面図である。
【符号の説明】
【００６２】
１      ペダル部分
１ａ    ペダル部分の下面
２      ステム部分
３      空間
４、４ａ  前壁
５、５ａ  後壁
６      梁状部材
７      スリット
９      車輌の床
１０      拘束部材
１１      ガイド材
１２、１３  開口
１４      解放位置
１６      錠
２１      蝶番
２２      拘束部材
２３      フランジ
２４      張り出し部分
２５      解放位置
【図１】
2006160206.tif 000003
【図２】
2006160206.tif 000004
【図３】
2006160206.tif 000005
【図４】
2006160206.tif 000006
【図５】
2006160206.tif 000007
【図６】
2006160206.tif 000008